(57)【要約】      （修正有）【課題】表示装置と、操作部が設けられた情報処理装置とを備える表示システムの携帯性を向上する。【解決手段】ユーザーの第１部位に装着される生体情報計測装置３であって、ユーザーの動作に応じて第１信号を出力する加速度センサー３３８及びジャイロセンサー３５９と、ユーザーの動作に係る情報を算出するために第１信号を用いる第１モードと、ユーザーの第２部位に装着される表示装置への入力信号として第１信号を扱う第２モードとに情報処理装置３を設定可能なＭＣＵ３３６と、第２モードにおいて、第１信号に基づいて生成した第２信号又は第１信号をＨＭＤに送信する無線通信部３３５と、を備える。【選択図】図３
2016085554.tif 000002
【特許請求の範囲】
【請求項１】
ユーザーの第１部位に装着される情報処理装置であって、
前記ユーザーの動作に応じて第１信号を出力するセンサーと、
前記動作に係る情報を算出するために前記第１信号を用いる第１モードと、前記ユーザーの第２部位に装着される表示装置への入力信号として前記第１信号を扱う第２モードとに当該情報処理装置を設定可能なモード設定部と、
前記第２モードにおいて、前記第１信号に基づいて生成した第２信号又は前記第1信号を前記表示装置に送信する送信部と、
を備えることを特徴とする情報処理装置。
【請求項２】
前記第２モードにおいて前記第１信号に基づいて前記第２信号を生成する信号生成部を備え、
前記送信部は、前記第２モードにおいて、前記第２信号を送信し、
前記第２信号は、前記表示装置を操作する操作信号である、
ことを特徴とする請求項１に記載の情報処理装置。
【請求項３】
前記センサーは、加速度を検出する加速度センサーと、回転運動の角速度を検出するジャイロセンサーとのうち少なくとも一方を含み、
前記第１部位は、前記ユーザーの手首を含む腕部位である、
ことを特徴とする請求項２に記載の情報処理装置。
【請求項４】
ユーザーの第１部位に装着される情報処理装置と、前記ユーザーの第２部位に装着される表示装置と、を備える表示システムであって、
前記情報処理装置は、
前記ユーザーの動作に応じて第１信号を出力するセンサーと、
前記動作に係る情報を算出するために前記第１信号を用いる第１モードと、前記表示装置への入力信号として前記第１信号を扱う第２モードとに、当該情報処理装置を設定可能なモード設定部と、
前記第２モードにおいては、前記第１信号に基づいて生成した第２信号又は前記第１信号を送信部と、を備え、
前記表示装置は、
表示部と、
前記第１信号又は前記第２信号を受信する受信部と、
前記第１信号又は前記第２信号に基づいて前記表示部を制御する表示制御部と、を備える、
ことを特徴とする表示システム。
【請求項５】
前記第２信号は、前記表示装置を操作する操作信号であり、
前記情報処理装置は、前記第２モードにおいて前記第１信号に基づいて前記第２信号を生成する信号生成部を含む、
ことを特徴とする請求項４に記載の表示システム。
【請求項６】
前記センサーは、加速度を検出する加速度センサーと、回転運動の角速度を検出するジャイロセンサーとのうち少なくとも一方を含む、
ことを特徴とする請求項４又は５に記載の表示システム。
【請求項７】
ユーザーの第１部位に装着される情報処理装置であって、
前記ユーザーの動作に応じて第１信号を出力するセンサーと、
前記動作に係る情報を算出するために前記第１信号を用いる第１モードと、前記ユーザーの第２部位に装着される表示装置への入力信号として前記第１信号を処理する第２モードと、に設定可能なモード設定部と、
前記第２モードにおいて、前記第１信号に基づいて生成した第２信号又は前記第1信号を前記表示装置に送信する送信部と、を備える情報処理装置と通信可能な表示装置であって、
前記第１信号又は前記第２信号を受信する受信部と、
表示部と、
前記第２モードにおいて、前記第１信号又は前記第２信号に基づいて前記表示部を制御する表示制御部と、
を備えることを特徴とする表示装置。
【発明の詳細な説明】
【技術分野】
【０００１】
本発明は、情報処理装置、表示装置、及び表示システムに関する。
【背景技術】
【０００２】
頭部に装着する表示装置である頭部装着型表示装置（Head Mounted Display（以下、ＨＭＤという。））が知られている。ＨＭＤは、例えば液晶ディスプレイ及び光源を利用して画像を表す画像光を生成し、その画像光を投写光学系や導光板によってユーザーの眼に導いて虚像を視認させる。
ＨＭＤにおいては、携帯性や操作性を向上させるための技術が種々提案されている。例えば、頭部に装着するＨＭＤ本体に操作部が設けられたものが知られている。この構成によれば、ＨＭＤ本体と操作部とが一体の装置として構成されているため、ＨＭＤの携帯性は良好である。しかしながら、ユーザーは操作のたびに手を頭部まで持ち上げる必要があるため、ユーザーに煩わしさを感じさせてしまう可能性がある。
【０００３】
そこで、ＨＭＤ本体とは別体の装置に操作部を設けた構成が提案されている。例えば、特許文献１及び特許文献２には、操作部として、ＨＭＤ本体とは別体のタッチパッドを備えるＨＭＤが開示されている。これらの先行後術において、ユーザーはＨＭＤ本体を頭部に装着した状態で、タッチパッドを操作して、各種の指示を入力する。この場合、タッチパッドはＨＭＤ本体を操作するための専用の装置であった。
【先行技術文献】
【特許文献】
【０００４】
【特許文献１】特開２０１２−１６４０３３号公報
【特許文献２】特開２０１２−１６４０４７号公報
【発明の概要】
【発明が解決しようとする課題】
【０００５】
しかしながら、特許文献１及び特許文献２に開示された技術では、ＨＭＤ本体と共にタッチパッドも使用場所へ持ち運ばなければならないため、携帯性が良好であるとは言い難い。
本発明は、前記の事情を鑑みて成されたものであり、表示装置と、その操作部が設けられた情報処理装置とを備える表示システムの携帯性を向上させることを解決課題の一つとする。
【課題を解決するための手段】
【０００６】
以上の課題を解決するため、本発明の一態様に係る情報処理装置は、ユーザーの第１部位に装着される情報処理装置であって、前記ユーザーの動作に応じて第１信号を出力するセンサーと、前記動作に係る情報を算出するために前記第１信号を用いる第１モードと、前記ユーザーの第２部位に装着される表示装置への入力信号として前記第１信号を扱う第２モードとに当該情報処理装置を設定可能なモード設定部と、前記第２モードにおいて、前記第１信号に基づいて生成した第２信号又は前記第1信号を前記表示装置に送信する送信部と、を備えることを特徴とする。
この態様によれば、ユーザーの第２部位に装着される表示装置（例えばＨＭＤなど）への入力信号（例えば操作信号など）が、当該ユーザーの第１部位に装着される情報処理装置（例えば生体情報計測装置など）で生成されて表示装置へ送信される。ここで、当該情報処理装置は、ユーザーの動作に係る情報を収集する装置として単体で当該ユーザーに利用され得る。従って、当該情報処理装置のユーザーは、表示装置を使用する際に、当該表示装置を操作するためだけの専用の装置を必要としない。よって、情報処理装置と表示装置とを備える表示システムに、本態様の情報処理装置を適用することで、表示装置を操作するためだけの装置を不要とすることができる。これによって、ユーザーは専用の装置でなくても、表示装置を操作できるようになるから、表示システムの利便性が向上する。
また、情報処理装置が備えるセンサーは、第１モードにおいてはユーザーの動作に係る情報を収集するために用いられ、且つ、第２モードにおいては表示装置へ信号を入力するために用いられる。つまり、当該情報処理装置では、センサーが、異なる動作モードで兼用されている。従って、各動作モードの機能を実現するためにそれぞれ別個の部材を設ける構成と比較して、当該情報処理装置の構成の簡略化及び小型化が実現する。
【０００７】
本発明の他の態様に係る情報処理装置は、上述の態様に係る情報処理装置であって、前記第２モードにおいて前記第１信号に基づいて前記第２信号を生成する信号生成部を備え、前記送信部は、前記第２モードにおいて、前記第２信号を送信し、前記第２信号は、前記表示装置を操作する操作信号である、ことを特徴とする。
この態様によれば、ユーザーは、情報処理装置を装着した状態で、所定の動作を行うことで、当該情報処理装置を用いて表示装置を操作することができる。
【０００８】
本発明の他の態様に係る情報処理装置は、上述の態様に係る情報処理装置であって、前記センサーは、加速度を検出する加速度センサーと、回転運動の角速度を検出するジャイロセンサーとのうち少なくとも一方を含み、前記第１部位は、前記ユーザーの手首を含む腕部位である、ことを特徴とする。
この態様によれば、情報処理装置は、例えば腕時計型やブレスレット型の装置であって、加速度センサーとジャイロセンサーとのうち少なくとも一方を備える、例えば生体情報計測装置である。すなわち、生体情報計測装置を、表示装置の操作部としても兼用できるため、ユーザーは、表示装置の操作部が設けられただけの装置を別途持ち運ぶ必要がない。
【０００９】
本発明の他の態様に係る表示システムは、ユーザーの第１部位に装着される情報処理装置と、前記ユーザーの第２部位に装着される表示装置と、を備える表示システムであって、前記情報処理装置は、前記ユーザーの動作に応じて第１信号を出力するセンサーと、前記動作に係る情報を算出するために前記第１信号を用いる第１モードと、前記表示装置への入力信号として前記第１信号を扱う第２モードとに、当該情報処理装置を設定可能なモード設定部と、前記第２モードにおいては、前記第１信号に基づいて生成した第２信号又は前記第１信号を送信部と、を備え、前記表示装置は、表示部と、前記第１信号又は前記第２信号を受信する受信部と、前記第１信号又は前記第２信号に基づいて前記表示部を制御する表示制御部と、を備える、ことを特徴とする。
この態様によれば、ユーザーの第２部位に装着される表示装置への入力信号が、当該ユーザーの第１部位に装着される情報処理装置で生成されて表示装置へ送信される。ここで、当該情報処理装置は、ユーザーの動作に係る情報を収集する装置として単体で当該ユーザーに利用され得る装置である。従って、当該情報処理装置のユーザーは、表示装置を使用する際に当該表示装置を操作するためだけの装置を必要としない。よって、表示装置を操作するためだけの装置を不要とした、携帯性に優れた表示システムが実現する。
また、情報処理装置が備えるセンサーは、第１モードにおいてはユーザーの動作に係る情報を収集するために用いられ、且つ、第２モードにおいては表示装置へ信号を入力するために用いられる。つまり、当該情報処理装置では、センサーが、複数の動作モードでそれぞれ異なる機能を担うように構成されているため、各動作モードの機能を実現するためにそれぞれ別個の部材を設ける必要がない。従って、各動作モードの機能を実現するためにそれぞれ別個の部材を設ける構成と比較して、当該情報処理装置の構成の簡略化及び小型化が実現する。
【００１０】
本発明の他の態様に係る表示システムは、上述の態様に係る表示システムであって、前記第２信号は、前記表示装置を操作する操作信号であり、前記情報処理装置は、前記第２モードにおいて前記第１信号に基づいて前記第２信号を生成する信号生成部を含む、ことを特徴とする。
この態様によれば、ユーザーは、情報処理装置を装着した状態で、所定の動作を行うことで、情報処理装置を用いて表示装置を操作することができる。
【００１１】
本発明の他の態様に係る表示システムは、上述の態様に係る表示システムであって、前記センサーは、加速度を検出する加速度センサーと、回転運動の角速度を検出するジャイロセンサーとのうち少なくとも一方を含む、ことを特徴とする。
この態様によれば、情報処理装置は、例えば腕時計型やブレスレット型の装置であって、加速度センサーとジャイロセンサーとのうち少なくとも一方を備える、例えば生体情報計測装置である。すなわち、生体情報計測装置を、表示装置の操作部としても兼用できるため、ユーザーは、表示装置の操作部が設けられただけの装置を別途持ち運ぶ必要がない。
【００１２】
本発明の他の態様に係る表示装置は、ユーザーの第１部位に装着される情報処理装置であって、前記ユーザーの動作に応じて第１信号を出力するセンサーと、前記動作に係る情報を算出するために前記第１信号を用いる第１モードと、前記ユーザーの第２部位に装着される表示装置への入力信号として前記第１信号を処理する第２モードと、に設定可能なモード設定部と、前記第２モードにおいて、前記第１信号に基づいて生成した第２信号又は前記第1信号を前記表示装置に送信する送信部と、を備える情報処理装置と通信可能な表示装置であって、前記第１信号又は前記第２信号を受信する受信部と、表示部と、前記第２モードにおいて、前記第１信号又は前記第２信号に基づいて前記表示部を制御する表示制御部と、を備えることを特徴とする。
この態様によれば、ユーザーの第２部位に装着される表示装置への入力信号が、当該ユーザーの第１部位に装着される情報処理装置で生成されて表示装置へ送信される。ここで、当該情報処理装置は、ユーザーの動作に係る情報を収集する装置として単体で当該ユーザーに利用され得る装置である。従って、当該情報処理装置のユーザーは、表示装置を使用する際に当該表示装置を操作するためだけの装置を必要としない。従って、情報処理装置と表示装置とを備える表示システムに、本態様の表示装置を適用することで、表示装置を操作するためだけの装置を不要とした、携帯性に優れた表示システムが実現し得る。
【図面の簡単な説明】
【００１３】
【図１】本発明の実施形態に係る表示システムの外観構成を示す斜視図。
【図２】同ＨＭＤのシステム構成を機能的に示すブロック図。
【図３】生体情報計測装置のシステム構成の一例を示すブロック図。
【図４】加速度センサーにより加速度の検出が可能な３軸方向の一例を示す図。
【図５】ＨＭＤ操作モードに係る処理のフローチャートを示す図。
【図６】ホームポジションの設定処理のフローチャートを示す図。
【図７】検出信号に基づく操作信号の生成処理のフローチャートを示す図。
【図８】ＨＭＤの光学像表示部に表示されたカーソルの操作を説明する図。
【発明を実施するための形態】
【００１４】
以下、本発明の実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００１５】
図１は、本発明の実施形態に係る表示システム１の外観構成を示す外観斜視図である。本実施形態に係る表示システム１は、主にユーザーの手首（第１部位）に装着される生体情報計測装置３と、主にユーザーの頭部（第２部位）に装着される頭部装着型表示装置（以下、ＨＭＤという。））２と、を備える。ＨＭＤ２は、ユーザーが虚像を視認すると同時に外景も直接視認可能な光学透過型ＨＭＤである。本実施形態に係る生体情報計測装置３は、いわゆるウェアラブル型の活動量計として機能すると共に、ＨＭＤ２の操作部としても機能する。
【００１６】
図１に示す例では、ＨＭＤ２は略眼鏡形状を有する。同図に示すように、ＨＭＤ２は、右保持部２１と、右表示駆動部２２と、左保持部２３と、左表示駆動部２４と、右光学像表示部２６と、左光学像表示部２８と、右イヤホン３２と、左イヤホン３４と、カメラ６１と、加圧部６２と、振動モーター６３と、を備える。
右光学像表示部２６及び左光学像表示部２８は、ＨＭＤ２の装着時におけるユーザーの右及び左の眼前に対応する位置に配置されている。右光学像表示部２６の一端と、左光学像表示部２８の一端は、それぞれ、ＨＭＤ２の装着時におけるユーザーの眉間に対応する位置で接続されている。右光学像表示部２６の他端である端部ＥＲからは、右保持部２１が延伸している。同様に、左光学像表示部２８の他端である端部ＥＬからは、左保持部２３が延伸している。
【００１７】
右保持部２１は、右光学像表示部２６の端部ＥＲから、ＨＭＤ２の装着時におけるユーザーの側頭部に対応する位置にかけて、右光学像表示部２６とほぼ直角をなすように延伸して設けられた部材である。同様に、左保持部２３は、左光学像表示部２８の端部ＥＬから、ＨＭＤ２の装着時におけるユーザーの側頭部に対応する位置にかけて、左光学像表示部２８とほぼ直角をなすように延伸して設けられた部材である。右保持部２１と、左保持部２３とは、眼鏡のテンプル（つる）のようにして、ユーザーの頭部にＨＭＤ２を保持する。
【００１８】
右表示駆動部２２は、右保持部２１の内側、換言すれば、ＨＭＤ２の装着時におけるユーザーの頭部に対向する側であって、右光学像表示部２６の端部ＥＲ側に配置されている。また、左表示駆動部２４は、左保持部２３の内側であって、左光学像表示部２８の端部ＥＬ側に配置されている。
なお、以降では、右保持部２１及び左保持部２３を「保持部」と総称し、右表示駆動部２２及び左表示駆動部２４を「表示駆動部」と総称し、右光学像表示部２６及び左光学像表示部２８を「光学像表示部」と総称することがある。
【００１９】
表示駆動部は、図示しないＬＣＤ（Liquid Crystal Display：液晶ディスプレイ）や、投写光学系等を含む。詳細は後述する。光学部材としての光学像表示部は、図示しない導光板と、調光板とを含んでいる。
導光板は、光透過性の樹脂材料等によって形成され、表示駆動部から取り込んだ画像光をユーザーの眼に向けて射出させる。
調光板は、薄板状の光学素子であり、ＨＭＤ２の表側（ユーザーの眼の側とは反対の側）を覆うように配置されている。調光板は、導光板を保護し、導光板の損傷や、汚れの付着等を抑制するとともに、調光板の光透過率を調整することにより、ユーザーの眼に入る外光量を調整し、虚像の視認のしやすさを調整することができる。なお、調光板は省略可能である。
【００２０】
カメラ６１は、ＨＭＤ２の装着時におけるユーザーの眉間に対応する位置に配置された撮像装置である。カメラ６１は、ＨＭＤ２の表側方向、換言すれば、ユーザーの眼の側とは反対側方向の外景（外部の景色）を撮像し、外景画像を取得する。本実施形態においては、カメラ６１が取得した外景画像が「外界の情報」に相当する。また、カメラ６１を「撮像装置」とも称する。なお、本実施形態におけるカメラ６１は、単眼カメラとして例示するが、ステレオカメラを採用してもよい。
【００２１】
加圧部６２は、右保持部２１及び左保持部２３の内側、換言すれば、ＨＭＤ２の装着時におけるユーザーの頭部に対向する側であって、ＨＭＤ２の装着時におけるユーザーの側頭部に対応する位置に配置されている。加圧部６２は、伸縮可能な外側部材に空気を内包している。加圧部６２は、内包された空気量を増減させることによって、自身の体積を増減することができる。ＨＭＤ２がユーザーの頭部に装着された状態において、加圧部６２は、自身の体積を増加させることによって、ユーザーの頭部へ圧力を加えること、換言すれば、ユーザーに対して触覚を通じた刺激を加えることができる。
なお、加圧部６２の外側部材は、例えば、ゴムやポリウレタン等の肌当たりの良い材料により形成されることが好ましい。これにより、ヘッドマウントディスプレイ２の装着感を向上させることができる。
【００２２】
振動モーター６３は、加圧部６２と同様に、右保持部２１及び左保持部２３の内側であって、ＨＭＤ２の装着時におけるユーザーの側頭部に対応する位置に配置されている触覚刺激部である。振動モーター６３は、モーターの軸に偏芯回転のための錘が設けられ、作動時に振動を発生することができる。ＨＭＤ２がユーザーの頭部に装着された状態において、振動モーター６３は、モーターを作動させることによって、ユーザーの頭部へ振動を加えること、換言すれば、ユーザーに対して触覚を通じた刺激を加えることができる。
また、右保持部２１の下側であって、ＨＭＤ２の装着時におけるユーザーの右耳に対応する位置には、右イヤホン３２が配置されている。同様に、左保持部２３の下側であって、ＨＭＤ２の装着時におけるユーザーの左耳に対応する位置には、左イヤホン３４が配置されている。
【００２３】
生体情報計測装置３は、ユーザーに密着されて生体情報を検出する機器本体５と、機器本体５をユーザーに装着するためのバンド部７と、を有する。
ここで、生体情報計測装置３とＨＭＤ２とは無線通信可能に構成されている。詳細は後述するが、生体情報計測装置３はＨＭＤ２と無線通信を行うための無線通信部３３５（図３参照）を備え、ＨＭＤ２は生体情報計測装置３と無線通信を行うための無線通信部１１０（図２参照）を備える。なお、生体情報計測装置３については、図３乃至図８を参照して後に詳述する。
【００２４】
図２は、ＨＭＤ２のシステム構成を機能的に示すブロック図である。同図に示すように、ＨＭＤ２は、右表示駆動部２２と、左表示駆動部２４と、無線通信部１１０と、記憶部１２０と、電源１３０と、ＣＰＵ１４０と、インターフェイス１８０と、カメラ６１と、加圧部６２と、振動モーター６３と、右イヤホン３２と、左イヤホン３４と、右光学像表示部２６としての右導光板２６１と、左光学像表示部２８としての左導光板２６２と、を備える。
【００２５】
右表示駆動部２２は、光源として機能する右バックライト（ＢＬ）制御部２０１及び右バックライト（ＢＬ）２２１と、表示素子として機能する右ＬＣＤ制御部２１１及び右ＬＣＤ２４１と、右投写光学系２５１とを備える。
なお、以降、右バックライト制御部２０１と、右ＬＣＤ制御部２１１と、右バックライト２２１と、右ＬＣＤ２４１とを、「右画像光生成部」と総称することがある。また、右投写光学系２５１と、右導光板２６１とを「右導光部」と総称することがある。
【００２６】
右バックライト制御部２０１は、入力された制御信号に基づいて、右バックライト２２１を駆動する機能を有する。右バックライト２２１は、例えば、ＬＥＤやエレクトロルミネセンス（ＥＬ）等の発光体である。
右ＬＣＤ制御部２１１は、受信部５３を介して入力されたクロック信号ＰＣＬＫと、垂直同期信号Ｖｓｙｎｃと、水平同期信号Ｈｓｙｎｃと、右眼用画像データーＤａｔａ１とに基づいて、右ＬＣＤ２４１を駆動する機能を有する。右ＬＣＤ２４１は、複数の画素をマトリクス状に配置した透過型液晶パネルである。
【００２７】
右ＬＣＤ２４１はマトリクス状に配置された各画素位置に対応する液晶を駆動することによって、右ＬＣＤ２４１を透過する光の透過率を変化させることにより、右バックライト２２１から照射される照明光ＩＬを、画像を表す有効な画像光ＰＬへと変調する機能を有する。
なお、本実施形態ではバックライト方式を採用することとしたが、フロントライト方式や、反射方式を用いて画像光を射出する構成としてもよい。
【００２８】
右投写光学系２５１は、右ＬＣＤ２４１から射出された画像光を並行状態の光束にするコリメートレンズによって構成される。
右光学像表示部２６としての右導光板２６１は、右投写光学系２５１から出力された画像光を、所定の光路に沿って反射させつつユーザーの右眼ＲＥに導く。なお、以降、右投写光学系２５１と右導光板２６１とを「導光部」と総称することがある。
【００２９】
左表示駆動部２４は、光源として機能する左バックライト（ＢＬ）制御部２０２及び左バックライト（ＢＬ）２２２と、表示素子として機能する左ＬＣＤ制御部２１２及び左ＬＣＤ２４２と、左投写光学系２５２とを備える。
なお、以降、左バックライト制御部２０２と、左ＬＣＤ制御部２１２と、左バックライト２２２と、左ＬＣＤ２４２とを、「左画像光生成部」と総称することがある。また、左投写光学系２５２と、左導光板２６２とを「左導光部」と総称することがある。
ここで、右表示駆動部２２と左表示駆動部２４とは対になって構成されており、左表示駆動部２４の各部は、上述した右表示駆動部２２の各部と同様の構成及び動作であるため、説明の重複を避けるために詳細な説明は省略する。
【００３０】
無線通信部１１０は、生体情報計測装置３から送信された操作信号を受信する。操作信号は、ユーザーによる操作入力に応じた信号である。ＣＰＵ１４０は、この操作信号に基づいてＨＭＤ２の各部を制御する。なお、生体情報計測装置３による操作信号の生成に係る処理については、後に詳述する。
記憶部１２０は、図示しないＲＯＭ、ＲＡＭ、ＤＲＡＭ、ハードディスク等を含む記憶部である。また、記憶部１２０には、効果画像記憶部１２２が含まれている。詳細は後述する。
【００３１】
電源１３０は、ヘッドマウントディスプレイ２の各部に電力を供給する。電源１３０としては、例えば二次電池を用いることができる。
ＣＰＵ１４０は、予めインストールされたプログラムを実行することで、オペレーティングシステム（ОＳ）１５０としての機能を提供する。また、ＣＰＵ１４０は、ＲＯＭやハードディスクに格納されているファームウェアやコンピュータープログラムをＲＡＭに展開して実行することにより、解析部１４２、演出部１４４、画像処理部１６０、音声処理部１７０、表示制御部１９０としても機能する。
【００３２】
解析部１４２及び演出部１４４は、ＯＳ１５０からの演出処理開始要求や、特定のゲームアプリケーションからの演出処理開始要求をトリガーとして、演出処理（詳細は後述）を実行する。解析部１４２は、演出処理において、外界情報取得部として機能するカメラ６１により取得された外界の情報を解析する。演出部１４４は、解析の結果に応じ、視覚効果のための効果画像を生成する。
画像処理部１６０は、後述の演出処理において指定された効果画像データーや、インターフェイス１８０を介して入力されるコンテンツ等に基づき、クロック信号ＰＣＬＫ、垂直同期信号Ｖｓｙｎｃ、水平同期信号Ｈｓｙｎｃ、画像データーＤａｔａを生成し、右表示駆動部２２及び左表示駆動部２４に供給する。
【００３３】
指定された効果画像データーに基づいてクロック信号ＰＣＬＫ、垂直同期信号Ｖｓｙｎｃ、水平同期信号Ｈｓｙｎｃ、画像データーＤａｔａの供給を行う場合、画像処理部１６０は、デフォルト値として予め定められ、記憶部１２０内に格納された表示設定（Ｖｓｙｎｃ、Ｈｓｙｎｃなど）を取得する。
画像処理部１６０は、取得した表示設定に応じて、図示しないＰＬＬ（Phase Locked Loop）回路等を利用してクロック信号ＰＣＬＫを生成する。その後、画像処理部１６０は、効果画像データーＤａｔａ（ＲＧＢデーター）を記憶部１２０内のＤＲＡＭに格納する。
【００３４】
一方、コンテンツに基づいてクロック信号ＰＣＬＫ、垂直同期信号Ｖｓｙｎｃ、水平同期信号Ｈｓｙｎｃ、画像データーＤａｔａの供給を行う場合、まず、画像処理部１６０は、コンテンツに含まれる画像信号を取得する。取得した画像信号は、例えば動画像の場合、一般的に、１秒あたり３０枚のフレーム画像から構成されているアナログ信号である。
画像処理部１６０は、取得した画像信号から、垂直同期信号Ｖｓｙｎｃや水平同期信号Ｈｓｙｎｃ等の同期信号を分離する。また、画像処理部１６０は、分離した垂直同期信号Ｖｓｙｎｃや水平同期信号Ｈｓｙｎｃの周期に応じて、図示しないＰＬＬ回路等を利用してクロック信号ＰＣＬＫを生成する。画像処理部１６０は、同期信号が分離されたアナログ画像信号を、図示しないＡ／Ｄ変換回路等を用いてディジタル画像信号に変換する。その後、画像処理部１６０は、変換後のディジタル画像信号を、対象画像データーＤａｔａ（ＲＧＢデーター）として、１フレームごとに記憶部１２０内のＤＲＡＭに格納する。
【００３５】
なお、効果画像データーやコンテンツがディジタル形式で与えられる場合は、クロック信号ＰＣＬＫが画像信号に同期して出力されるため、垂直同期信号Ｖｓｙｎｃ及び水平同期信号Ｈｓｙｎｃ、アナログ画像信号のＡ／Ｄ変換は不要である。
また、以降では、効果画像データー及び対象画像データーを「画像データーＤａｔａ」と総称することがある。画像処理部１６０は、必要に応じて、記憶部１２０に格納された画像データーＤａｔａに対して、解像度変換処理、輝度や彩度の調整、拡大・縮小・角度調整等の画像補正処理といった種々の色調補正処理、キーストーン補正処理等の画像処理を実行してもよい。
【００３６】
画像処理部１６０は、上述のように生成されたクロック信号ＰＣＬＫ、垂直同期信号Ｖｓｙｎｃ、水平同期信号Ｈｓｙｎｃと、記憶部１２０内のＤＲＡＭに格納された画像データーＤａｔａとを出力する。
なお、右表示駆動部２２に出力される画像データーＤａｔａを「右眼用画像データーＤａｔａ１」とも称し、左表示駆動部２４に出力される画像データーＤａｔａを「左眼用画像データーＤａｔａ２」とも称する。
【００３７】
表示制御部１９０は、無線通信部１１０が受信した操作信号に基づいて、右表示駆動部２２及び左表示駆動部２４を制御する制御信号を生成する。すなわち、表示制御部１９０は、図２に示すように右ＬＣＤ制御部２１１と左ＬＣＤ制御部２１２とに対する制御信号とを出力する。また、表示制御部１９０は、図２に示すように右バックライト制御部２０１と左バックライト制御部２０２とに対する制御信号を出力する。
具体的には、表示制御部１９０は、制御信号により、右ＬＣＤ制御部２１１による右ＬＣＤ２４１の駆動ＯＮ／ＯＦＦや、右バックライト制御部２０１による右バックライト２２１の駆動ＯＮ／ＯＦＦ、左ＬＣＤ制御部２１２による左ＬＣＤ２４２の駆動ＯＮ／ＯＦＦや、左バックライト制御部２０２による左バックライト２２２の駆動ＯＮ／ＯＦＦ、などを個別に制御することにより、右表示駆動部２２および左表示駆動部２４のそれぞれによる画像光の生成および射出を制御する。
例えば、表示制御部１９０は、右表示駆動部２２及び左表示駆動部２４の両方に画像光を生成させたり、一方のみに画像光を生成させたり、両方共に画像光を生成させなかったりする。
なお、詳細は後述するが、無線通信部１１０が受信する操作信号は、生体情報計測装置３によって生成されて送信される。
【００３８】
音声処理部１７０は、コンテンツに含まれる音声信号を取得し、取得した音声信号を増幅して、右イヤホン３２内の図示しないスピーカー及び左イヤホン３４内の図示しないスピーカーに供給する。
【００３９】
インターフェイス１８０は、ＨＭＤ２に対して、コンテンツの供給元となる種々の外部機器ＯＡを接続するためのインターフェイスである。外部機器ОＡとしては、例えば、パーソナルコンピューターや携帯電話端末、ゲーム端末等がある。インターフェイス１８０としては、例えば、ＵＳＢインターフェイスや、マイクロＵＳＢインターフェイス、メモリーカード用インターフェイス、無線ＬＡＮインターフェイス、Ｂｌｕｅｔｏｏｔｈ（登録商標）等を備えることができる。
【００４０】
図３は、生体情報計測装置３のシステム構成の一例を示すブロック図である。同図に示すように、生体情報計測装置３は、電源回路３２４、表示部３２０、フラッシュＲＯＭ３３４、アンテナ３３０、無線通信部３３５、報知部３２９、ライト３３７、加速度センサー３３８、ジャイロセンサー３５９、水晶発振回路３３９、リセット回路３４１、記憶部３６０、及び操作ボタン３５１〜３５４が、ＭＣＵ３３６に接続されて設けられている。
【００４１】
表示部３２０は、例えばバックライト付きの液晶パネルであり、機器本体５のパネル枠（不図示）に保持されている。
ＭＣＵ３３６は、内部にプログラムを記憶するメモリーを備えており、生体情報計測装置３の各部の制御を行う他、時刻情報の生成処理、ユーザーの生体情報の計測処理、及び、ＨＭＤ２に対する操作入力の検出処理などを行うようになっている。
【００４２】
また、ＭＣＵ３３６は、生体情報計測装置３の動作モードを切り替える処理を行うモード設定部としても機能する。本実施形態に係る生体情報計測装置３は、少なくとも、第１のモードである「生体情報計測モード」と、第２のモードである「ＨＭＤ操作モード」との２つの動作モードを有する。
「生体情報計測モード」は、加速度センサー３３８及びジャイロセンサー３５９から出力される検出信号（第１信号）を、生体情報の計測に用いる動作モードである。
「ＨＭＤ操作モード」は、加速度センサー３３８及びジャイロセンサー３５９から出力される検出信号を、ＨＭＤ２に対する操作入力として扱う動作モードである。
【００４３】
加速度センサー３３８は、３軸（Ｘ軸、Ｙ軸、Ｚ軸）方向の加速度をそれぞれ検出するセンサーであり、各軸方向の加速度に応じた検出信号をそれぞれ出力する。図４は、３軸方向の一例を示す図である。同図に示す例では、表示部３２０の表示面に垂直な方向をＺ軸方向とし、該Ｚ軸方向に対して垂直で且つ互いに垂直な２軸の方向（バンド部７の幅方向とそれに垂直な方向）を、Ｘ軸方向とＹ軸方向としている。
【００４４】
加速度センサー３３８は重力加速度を検出するところ、ＭＣＵ３３６は、加速度センサー３３８により検出された重力加速度に基づいて、生体情報計測装置３の姿勢を検出する。
ここで生体情報計測装置３の姿勢とは、例えば、基準姿勢（以下、「ホームポジション」という。）に対する傾き具合であり、ＨＭＤ操作モードでは当該生体情報計測装置３の姿勢を変化させるなどしてＨＭＤ２を操作する。詳細は後述するが、「ホームポジション」は、ユーザーにより設定され、ＨＭＤ操作モードにおける操作信号の生成処理にて用いられる。
【００４５】
生体情報計測モードは、当該生体情報計測装置３が例えば活動量計として機能する動作モードである。すなわち生体情報計測モードでは、ＭＣＵ３３６は、例えばユーザーの消費カロリー、運動時間、及び歩数などの種々の情報を、加速度センサー３３８及びジャイロセンサー３５９から出力された検出信号に基づいて算出する。
【００４６】
なお、本実施形態に係る表示システム１の特徴部の１つは、加速度センサー３３８及びジャイロセンサー３５９を、生体情報計測モードでは生体情報を計測するためのセンサーとして用い、且つ、ＨＭＤ操作モードにおいてはＨＭＤ２に対するユーザーの操作入力を検出するためのセンサーとして用いることにある。ここで、生体情報計測モードにおける生体情報の計測処理自体は、加速度センサーとジャイロセンサーとを備える従来の活動量計（生体情報計測装置）と同様であるので、ここでは詳細な説明は省略する。
【００４７】
ジャイロセンサー３５９は、回転運動の角速度を検出するセンサーであり、角速度に応じた検出信号（第１信号）を出力する。ジャイロセンサー３５９は、「初期動作」及び「終了動作」を検出するために用いられる。
「初期動作」とは、生体情報計測装置３を、生体情報計測モードからＨＭＤ操作モードへ移行させるためのユーザーの動作である。
「終了動作」とは、生体情報計測装置３を、ＨＭＤ操作モードから生体情報計測モードへ移行させるためのユーザーの動作である。
具体的には、初期動作及び終了動作の一例としては、例えばユーザーが生体情報計測装置３を装着した腕で行う所定の捻り動作を挙げることができる。すなわち、当該生体情報計測装置３が生体情報計測モードに設定された状態で、ユーザーが、生体情報計測装置３を装着した腕で所定の捻り動作を行うと、ＭＣＵ３３６は当該生体情報計測装置３をＨＭＤ操作モードへ移行させる。
また、当該生体情報計測装置３がＨＭＤ操作モードに設定された状態で、ユーザーが、生体情報計測装置３を装着した腕で所定の捻り動作を行うと、ＭＣＵ３３６は、当該生体情報計測装置３を生体情報計測モードへ移行させる。
【００４８】
なお、ジャイロセンサー３５９を、ユーザーの体動を検出するためにも用いてもよい。また、加速度センサー３３８とジャイロセンサー３５９との双方の検出結果を併用してユーザーの体動を検出してもよい。さらには、加速度センサー３３８とジャイロセンサー３５９との双方の検出結果を併用してＨＭＤ２に対する操作入力を検出してもよい。
【００４９】
フラッシュＲＯＭ３３４には、例えば時差情報が記憶されている。時差情報は、時差データ（座標値（例えば、緯度及び経度）に関連付けられたＵＴＣに対する補正量等）が定義された情報である。
アンテナ３３０は、例えば１．５ＧＨｚ帯の衛星信号から航法メッセージに含まれる衛星軌道情報、ＧＰＳ時刻情報、あるいは位置情報等の衛星情報を取得する処理を行う。
る。
【００５０】
無線通信部３３５は、生体情報計測装置３とＨＭＤ２との無線通信を行い、後述する操作信号をＨＭＤ２に送信する。また、無線通信部３３５は、パーソナルコンピューターなどとの無線通信を行い、生体情報計測装置３に記憶したログデータ等をパーソナルコンピューターなどに送信する。具体的には、無線通信部３３５は、例えばＨＭＤ操作モードにてＭＣＵ３３６により生成された操作信号を、ＨＭＤ２に送信する。
ライト３３７は、ユーザーによる操作ボタンの操作により、表示部３２０に光を照射して、夜間などにユーザーによる視認を容易にするために用いられる。
水晶発振回路３３９は、温度補償回路付きの水晶発振回路であり、温度に関係なくほぼ一定の周波数の基準クロック信号を生成する。
リセット回路３４１は、ユーザーによる所定の操作に応じて、生体情報計測装置３の計測状態をリセットさせるために用いられる。
【００５１】
操作ボタン３５１〜３５４は、例えば表示部３２０における表示内容の切り替えや種々の設定などの、当該生体情報計測装置３に対する各種操作入力を行うための操作部材である。
具体的には、例えば図４に示すように、操作ボタン３５１，３５２は機器本体５の側面において、外方に向けて突出して設けられている。なお、図４には図示していないが、操作ボタン３５１，３５２が設けられた側面とは逆側の側面には、操作ボタン３５３，３５４が同様に外方に向けて突出して設けられている。
【００５２】
説明を図３に戻す。報知部３２９は、例えば振動や音声などにより、ユーザーに警告などを報知する装置である。具体的には、振動により警告を報知する装置としては、例えば偏心のある回転分銅部分を有する装置であって、当該回転分銅部分が回転することで振動を生じる装置を挙げることができる。また、音声により警告を報知する装置としては、例えばブザーやスピーカーなどを挙げることができる。
【００５３】
二次電池３２８は、充電可能なボタン型のリチウム二次電池であり、両極の端子が回路基板（不図示）に接続され、電源を制御する電源回路３２４に電圧を印加する。電源回路３２４は、印加された電圧を所定の電圧に変換するなどして各回路へ供給してそれらを動作させる。なお、ここでは電池として二次電池３２８を用いる例を説明したが、充電が不要な一次電池を用いてもよい。
電源回路３２４は、接続端子（不図示）を介してＡＣアダプタ３４２と接続された場合、二次電池３２８を充電する。二次電池３２８は、表示部３２０やアンテナ３３０などに駆動電力を供給する。
【００５４】
図５は、ＨＭＤ操作モードに係る処理のフローチャートを示す図である。
本実施形態に係る生体情報計測装置３は、通常、生体情報計測モードに設定され、生体情報の計測処理などを実行する。なお、生体情報計測モードにおける処理自体は本実施形態に特有の処理ではないため不図示とし、説明も省略する。
本実施形態に係る生体情報計測装置３は、生体情報計測モードに設定されているときに、ＨＭＤ操作モードで用いるホームポジションの設定が行われると（ステップＳ１）、ＨＭＤ操作モードに係る処理を開始する。
図６は、ステップＳ１のサブルーチン（ホームポジションの設定処理のフローチャート）を示す図である。すなわち、ＭＣＵ３３６は、「ホームポジションを設定するための所定の動作」を示す検出信号が加速度センサー３３８から出力されると（ステップＳ１０１）、その時点での生体情報計測装置３の姿勢を算出すると共に当該姿勢をホームポジションとして設定する（ステップＳ１０２）。なお、生体情報計測装置３の姿勢は、加速度センサー３３８の出力を参照して求まる重力加速度ベクトルに基づいて算出される。
ここで、「ホームポジションを設定するための所定の動作」とは、例えば、表示部３２０をＺ軸方向にｎ（例えばｎ＝２）回だけタップする動作（軽く叩くような動作）である。
【００５５】
なお、「ホームポジションを設定するための所定の動作」が行われなくとも、操作ボタン３５１〜３５４のうち少なくともいずれか１つの操作ボタンを用いた「ホームポジションを設定する所定の操作」が行われた場合には、ステップＳ１０２の処理を実行し、図５に示すステップＳ２の処理へ移行する。
【００５６】
ホームポジションの設定が完了すると、ＭＣＵ３３６は、ジャイロセンサー３５９から出力される検出信号に基づいて、所定時間内に、上述した初期動作が成されたか否かを判定する（ステップＳ２）。ステップＳ２の判定結果が否定の場合、換言すれば所定時間内に初期動作が成されなかった場合、ＭＣＵ３３６は、当該生体情報計測装置３の動作モードを、生体情報計測モードに維持する。
【００５７】
ステップＳ２の判定結果が肯定の場合、換言すれば所定時間内に初期動作が成された場合、ＭＣＵ３３６は、当該生体情報計測装置３の動作モードをＨＭＤ操作モードに移行させる（ステップＳ３）。
ステップＳ３の処理で生体情報計測装置３をＨＭＤ操作モードに移行させた後、ＭＣＵ３３６は、ホームポジションに対応する検出信号とは異なる検出信号が加速度センサー３３８から出力されたか否かを判定する（ステップＳ４）。
ステップＳ４の判定結果が否定の場合、換言すればホームポジションに対応する検出信号が加速度センサー３３８から出力されている（生体情報計測装置３がホームポジションにある）場合、ＭＣＵ３３６は、ＨＭＤ操作モードに移行した時点から所定時間が経過したか否かを判定する（ステップＳ８）。
ステップＳ８の判定結果が肯定の場合、換言すればＨＭＤ操作モードに移行した時点から所定時間が経過している場合、ＭＣＵ３３６は、当該生体情報計測装置３の動作モードを、生体情報計測モードに移行させる。他方、ステップＳ８の判定結果が否定の場合、換言すればＨＭＤ操作モードに移行した時点から所定時間が経過していない場合、ステップＳ４の処理に戻る。
つまり、ステップＳ４及びステップＳ８の処理は、ＨＭＤ操作モードに移行した時点から所定時間内に、ホームポジションから姿勢の変化が生じない場合には、当該生体情報計測装置３の動作モードを、生体情報計測モードに戻す処理である。この処理は、ユーザーにＨＭＤ２の操作を行う意思がないと考えられる場合には、動作モードを生体情報計測モードに戻す方がより利便性が高まることを鑑みた処理である。
【００５８】
ステップＳ４の判定結果が肯定の場合、ＭＣＵ３３６は、加速度センサー３３８から出力された検出信号に基づいて、ＨＭＤ２の操作信号を生成する（ステップＳ５）。
以下、検出信号から操作信号を生成する処理の一例を説明する。ここでは、当該生体情報計測装置３を用いて、ＨＭＤ２の光学像表示部（図１に示す右光学像表示部２６及び左光学像表示部２８）に表示されたカーソルを操作する例を説明する。
【００５９】
図７は、ステップＳ５のサブルーチン（検出信号に基づく操作信号の生成処理のフローチャート）を示す図である。まず、ＭＣＵ３３６は、加速度センサー３３８から出力された検出信号から、ＨＭＤ２への操作入力の内容を特定する（ステップＳ５０１）。
具体的には、ＭＣＵ３３６は、検出信号に基づいて、ホームポジションに対する生体情報計測装置３の傾きの方向及び大きさを算出し、該算出結果からＨＭＤ２に対する操作入力の内容を特定する。この処理には、例えば、生体情報計測装置３の傾きの方向／大きさと、それに対応するＨＭＤ２の操作内容とが対応付けられて成るテーブルが参照される。
【００６０】
図８は、ＨＭＤ２の各光学像表示部２６，２８に表示されたカーソル７００の操作を説明する図である。
本実施形態では、ホームポジションに対する生体情報計測装置３の傾きに応じてカーソル７００が移動するところ、ホームポジションに対する傾きの方向と、カーソル７００の移動の方向とは次のように対応付けられている。
表示部３２０が、Ｙ軸方向（図４参照）のプラス側を向くように傾けられたとき、カーソル７００は矢印ｄ１の方向へ移動する。
表示部３２０が、Ｙ軸方向のマイナス側を向くように傾けられたとき、カーソル７００は矢印ｄ２の方向へ移動する。
表示部３２０が、Ｘ軸方向（図４参照）のプラス側を向くように傾けられたとき、カーソル７００は矢印ｄ３の方向へ移動する。
表示部３２０が、Ｘ軸方向のマイナスを向くように傾けられたとき、カーソル７００は矢印ｄ４の方向へ移動する。
【００６１】
カーソル７００の移動速度については、ホームポジションに対する傾きの角度が大きくなるほど大きくなるように、ＭＣＵ３３６によって制御される。
また、本実施形態では、Ｚ軸方向（図４参照）に生体情報計測装置３をタップする動作（軽く叩くような動作）は、その時点におけるカーソル７００の位置でのクリック操作に対応する。
ステップＳ５０１の処理を完了すると、ＭＣＵ３３６は、ステップＳ５０１での特定結果に対応する操作信号を生成する（ステップＳ５０２）。
そして、ＭＣＵ３３６は、生成した操作信号を、無線通信部３３５によりＨＭＤ２に送信する（ステップＳ６）。また、ＭＣＵ３３６は、ジャイロセンサー３５９から出力された検出信号に基づいて、上述の終了動作が成されたか否かを判定する（ステップＳ７）。
ステップＳ７の判定結果が肯定の場合、換言すれば終了動作が成された場合には、ＭＣＵ３３６は、当該生体情報計測装置３の動作モードを、生体情報計測モードに移行させる。他方、ステップＳ７の判定結果が否定の場合、ステップＳ４の処理へ戻り、ＨＭＤ操作モードの処理を継続して実行する。
従って、終了動作が成されず、且つ、ホームポジションに対応する検出信号とは異なる検出信号が加速度センサー３３８から出力されている限り、当該検出信号に対応する操作信号が生成されてＨＭＤ２に送信され続ける。
【００６２】
以上説明したように、本発明の実施形態によれば、表示装置であるＨＭＤ２と、その操作部として機能する情報処理装置（生体情報計測装置３）とを備える表示システム１の携帯性及び操作性が向上する。
すなわち、本実施形態に係る表示システム１によれば、ＨＭＤ２の操作部を当該ＨＭＤ２とは別体の装置として設ける構成であっても、操作部として、ユーザーに常時装着され得る生体情報計測装置３を用いるため、別体の装置を持ち運ぶことの煩わしさが解消され、携帯性が向上する。
また、ＨＭＤ２の操作部の機能を、生体情報計測装置３が元々備えるセンサー（加速度センサー及びジャイロセンサー）に担わせるため、当該生体情報計測装置３の構成の複雑化及び大型化が防止される。
さらには、生体情報計測装置３は、単独で独自の機能を有する腕時計型の装置であるため、ユーザーが当該生体情報計測装置３を常時装着することにつき負担を感じることもなく、持ち運び忘れや紛失の虞も低減する。
【００６３】
［第１変形例］
上述した一実施形態に係る表示システム１においては、生体情報計測装置３が検出信号（第１信号）から操作信号（第２信号）を生成し、当該操作信号をＨＭＤ２に送信する構成としている。しかしながら、生体情報計測装置３がＨＭＤ２へ検出信号を送信し、ＨＭＤ２が検出信号から操作信号を生成する構成としてもよい。
つまり、ＨＭＤ２が、検出信号に基づいて生成された操作信号によって操作され得る構成であればよく、操作信号を生成する装置は生体情報計測装置３に限られない。
【００６４】
［第２変形例］
上述した一実施形態に係る表示システム１においては、常時装着の負担を軽減する観点から、生体情報計測装置３の一例として腕時計型を例示して説明した。しかしながら、本発明に係る生体情報計測装置３に計時機能は必須の機能ではなく、計時機能を有しなくとも、ユーザーが常時装着することにつき負担を感じない装置であればよい。すなわち、本発明に係る生体情報計測装置３は、腕時計型に限定されず、例えばブレスレット型であってもよい。ブレスレット型は、計時機能などを有しない点で、上述した腕時計型と相違する。
【００６５】
［第３変形例］
上述した一実施形態に係る表示システム１においては、ホームポジションに対する生体情報計測装置３の姿勢を変化させたり、生体情報計測装置３をタップしたりすることでＨＭＤ２を操作する構成としている。
しかしながら、加速度センサー３３８やジャイロセンサー３５９から出力される検出信号に基づいて特定の一連の動作を検出し、該一連の動作に対応する操作信号を生成する、いわゆる「ジェスチャー操作」を可能に構成してもよい。例えば、生体情報計測装置３を装着した腕を前に水平に伸ばした後、肘を曲げて左に移動させるといった一連の動作がジェスチャー操作に該当する。
【００６６】
［第４変形例］
上述した一実施形態に係る表示システム１においては、ＨＭＤ２を操作するための装置として生体情報計測装置３を用いているが、ＨＭＤ２を操作するための装置は生体情報を計測する機能を有していなくてもよく、例えばＧＰＳウォッチと称される腕時計型装置やスマートウォッチと称される腕時計型装置であってもよい。
【００６７】
なお、以上のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語と共に記載された用語は、明細書又は図面のいかなる箇所においても、その異なる用語に置き換えることができる。また生体情報計測装置の構成、動作も本実施形態で説明したものに限定されず、種々の変形実施が可能である。
［第５変形例］
【００６８】
上述した一実施形態に係る表示システム１においては、ＨＭＤ２には無線通信部１１０が設けられ、生体情報計測装置３には無線通信部３３５が設けられ、両者が無線通信を行うように構成されているが、通信手段は無線に限られず、例えば有線通信を行うように両者を構成してもよい。
このように構成した場合、ＨＭＤ２と生体情報計測装置３とを通信可能に接続する接続部材（例えば通信ケーブルなど）として、電力伝送可能な接続部材を用いることで、両者間で、通信に加えて電力伝送も可能となる。これにより、ＨＭＤ２及び生体情報計測装置３のうち少なくとも一方に電源を設ければ、当該一方から他方への電力伝送が可能となるので、電源を両者で共有できる。従って、ＨＭＤ２又は生体情報計測装置３の構成のさらなる簡略化が実現する。特にＨＭＤ２において電源１３０を不要とする構成は、ＨＭＤ２の装着性をよりいっそう向上させるものとなる。
【符号の説明】
【００６９】
１…表示システム、２…ＨＭＤ、３…生体情報計測装置、５…機器本体、７…バンド部、２１…右保持部、２２…右表示駆動部、２３…左保持部、２４…左表示駆動部、２６…右光学像表示部、２８…左光学像表示部、３２…右イヤホン、３４…左イヤホン、５３…受信部、６１…カメラ、６２…加圧部、６３…振動モーター、１１０…無線通信部、１２０…記憶部、１２２…効果画像記憶部、１３０…電源、１４２…解析部、１４４…演出部、１６０…画像処理部、１７０…音声処理部、１８０…インターフェイス、１９０…表示制御部、２０１…右ＢＬ制御部、２０１…右バックライト制御部、２０２…左ＬＣＤ制御部、２０２…左バックライト制御部、２１１…右ＬＣＤ制御部、２１２…左ＢＬ制御部、２２１…右バックライト、２２２…左バックライト、２５１…右投写光学系、２５２…左投写光学系、２６１…右導光板、２６２…左導光板、３２０…表示部、３２４…電源回路、３２８…二次電池、３２９…報知部、３３０…アンテナ、３３５…無線通信部、３３７…ライト、３３８…加速度センサー、３３９…水晶発振回路、３４１…リセット回路、３４２…アダプタ、３５１〜３５４…操作ボタン、３５９…ジャイロセンサー、３６０…記憶部、７００…カーソル、２４１…右ＬＣＤ、２４２…左ＬＣＤ、３３４…フラッシュＲＯＭ。
【図１】
2016085554.tif 000003
【図２】
2016085554.tif 000004
【図３】
2016085554.tif 000005
【図４】
2016085554.tif 000006
【図５】
2016085554.tif 000007
【図６】
2016085554.tif 000008
【図７】
2016085554.tif 000009
【図８】
2016085554.tif 000010